(57)【要約】      （修正有）【課題】コストアップを招くことなく快適に使用できる敷きパッドを提供する。【解決手段】湿度調節機能を有する調湿シート材２を設け、調湿シート材２の上側にのみクッション材３を配し、クッション材３の表面側に表地４を、調湿シート材２の下側に裏地５をそれぞれ配しキルティングを施して一体化する。表地４を、吸水速乾生地、冷感生地、蓄熱保温生地及び吸湿発熱生地から選択される１種とすることができる。裏地５側に紐状体からなる被装着物への着脱手段を設けることができる。【選択図】図３
0003203480.tif 000002
【実用新案登録請求の範囲】
【請求項１】
湿度調節機能を有する調湿シート材を設け、該調湿シート材の上側にのみクッション材を配し、該クッション材の表面側に表地を、前記調湿シート材の下側に裏地をそれぞれ配しキルティングを施して一体化してなることを特徴とする敷きパッド。
【請求項２】
表地は、吸水速乾生地、冷感生地、蓄熱保温生地及び吸湿発熱生地から選択される１種である請求項１に記載の敷きパッド。
【請求項３】
裏地側に紐状体からなる被装着物への着脱手段を設けた請求項１又は２に記載の敷きパッド。
【請求項４】
クッション材と表地との間に不織布を介在させた請求項１〜３のいずれか１項に記載の敷きパッド。
【考案の詳細な説明】
【技術分野】
【０００１】
本考案は、調湿機能を有する敷きパッドに関する。
【背景技術】
【０００２】
従来、Ｂ型のシリカゲルを含む調湿層の上下両面にクッション層を配し、表面が接触冷感生地により構成されたシーツが知られている（特許文献１）。このものは、調湿層の上下両側にクッション層を配したもので、裏返して使用した場合でも快適に使用することができる。
【０００３】
しかし、裏返して使用しない場合には、調湿層の下側にクッション層を備える必要はなく、調湿層の下側にクッション層を設ければ、それだけコストアップを招くことになる。
【先行技術文献】
【特許文献】
【０００４】
【特許文献１】実用新案登録第３１９４６９１号公報
【考案の概要】
【考案が解決しようとする課題】
【０００５】
そこで、本考案は、コストアップを招くことなく快適に使用できる敷きパッドを提供することを目的とする。
【課題を解決するための手段】
【０００６】
上記課題を解決するために、請求項１に係る敷きパッドは、湿度調節機能を有する調湿シート材を設け、該調湿シート材の上側にのみクッション材を配し、該クッション材の表面側に表地を、前記調湿シート材の下側に裏地をそれぞれ配しキルティングを施して一体化してなること、を特徴としている。
請求項２に係る敷きパッドは、表地を、吸水速乾生地、冷感生地、蓄熱保温生地及び吸湿発熱生地から選択される１種としたものである。
請求項３に係る敷きパッドは、裏地側に紐状体からなる被装着物への着脱手段を設けたものである。
請求項４に係る敷きパッドは、クッション材と表地との間に不織布を介在させたものである。
【考案の効果】
【０００７】
請求項１に係る考案によれば、クッション材は調湿シート材の上側だけにあるので、コストアップを押さえることができる。
請求項２に係る考案によれば、表地を、吸水速乾生地、冷感生地、蓄熱保温生地及び吸湿発熱生地から選択される１種としたので、所望の感触の敷きパッドを得るために好適な生地を適宜選択することができる。
請求項３に係る考案によれば、裏地側に紐状体からなる被装着物への着脱手段を設けたので、寝具などの被装着物への着脱が容易にできる。また、使用中にずれたりしないので快適に使用できる。
請求項４に係る考案によれば、クッション材と表地との間に不織布を介在させたので、クッション材を構成する繊維が表地側へ抜け出すことを防止することができる。
【図面の簡単な説明】
【０００８】
【図１】実施例による敷きパッドの平面図である。
【図２】実施例による敷きパッドの底面図である。
【図３】実施例による敷きパッドの積層の様子を示す分解斜視図である。
【図４】実施例による敷きパッドの断面図である。
【図５】他の実施例による敷きパッド（枕パッド）の平面図及び底面図である。
【考案を実施するための形態】
【０００９】
以下、本考案の実施例を図面に基づいて具体的に説明する。本考案に係る敷きパッド１は、湿度調節機能を有する調湿シート材２を設け、該調湿シート材２の上側にのみクッション材３を配し、該クッション材３の表面側に表地４を、調湿シート材２の下側に裏地５をそれぞれ配しキルティング６を施して一体化したものである。
【００１０】
調湿シート材２は、湿度調節機能を有する調湿剤をフェルト地等により挟持しシート状に形成したものである。調湿剤としては、Ｂ型シリカゲル、ゼオライト等が挙げられる。これらは吸湿機能だけでなく消臭機能も併せもっている。
クッション材３は、クッション効果を発揮する中綿材で構成されている。
表地４としては、特に限定されるわけではないが、吸水速乾（吸汗速乾）生地、冷感生地、蓄熱保温生地、吸湿発熱生地から選択される１種の生地とすることができる。これにより、所望の感触の敷きパッドを得るために好適な生地を適宜選択することができる。
上記した各種の表地４は、織物地、編物地のいずれであってもよい。
裏地５としては、通気性を有する薄布材により構成する。
【００１１】
調湿シート材２の下側に裏地５を配したとは、調湿シート材２と裏地５との間にクッション材３を介在させることなく、調湿シート材２の直下側に裏地５を設けたことを意味する。このように、クッション材３は調湿シート材２の上側だけに配してあり、無駄にクッション材を介在させていないので、コストアップを押さえることができる。
【００１２】
クッション材３と表地４との間には、不織布７を介在させるようにしてもよい。このようにすれば、クッション材３を構成する繊維が表地４側に抜け出すことを防止することができる。なお、表地４の種類によっては、不織布７を介在させない場合もある。
【００１３】
上記の表地４、不織布７、クッション材（中綿材）３、調湿シート材２、裏地５を順次積層し、キルティング６を施すことにより、パッド材を構成する各層を一体化する。このため、使用中に中綿がずれたりすることもなく快適に使用でき、また、洗濯しても各層がずれたり偏ったりしなくなる。
なお、パッド材の周囲は縁布８によって包被して縫製してある。
【００１４】
敷きパッド本体の裏地５側（底面）の四隅には、着脱手段として弾性材からなる紐状体（ゴムテープ）９を隣接する二辺にわたって斜めに取り付けてある（図２）。これにより、敷布団やベッドのマットレスへの敷きパッド１の着脱が簡単に行え、また、装着した布団やマットレスから敷きパッド１がずれることを防止でき、快適に使用できる。
本考案の敷きパッド１を枕に装着する枕パッド１０として使用する場合は、枕パッド１０の裏地５側に、対向する長辺間に弾性体からなる紐状体９を短辺に平行に２本取り付ける（図５（ｂ））。これにより、枕への着脱が簡単に行え、装着した枕から枕パッド１０がずれることを防止でき、快適に使用できる。
なお、椅子などに装着する場合には、着脱手段として、弾性を有する紐状体ではなく、非弾性の紐状体が好ましい。椅子の脚などに紐状体を結んで椅子に取り付けるとよい。
【００１５】
本考案における敷きパッド１，１０は、敷き布団に敷くシーツ、ベッドのマットレスに敷くベッドパッド、枕に装着する枕パッドなど寝具用に限らず、椅子やソファーなどその上に座る際に使用する敷物をも含むものである。
本考案が適用できる被装着物としては、敷き布団やベッドのマットレス、枕などの寝具、椅子、ソファーなどが挙げられる。
【符号の説明】
【００１６】
１  敷きパッド
２  調湿シート材
３  クッション材
４  表地
５  裏地
６  キルティング
７  不織布
８  縁布
９  着脱手段（紐状体）
１０  敷きパッド（枕パッド）
【図１】
0003203480.tif 000003
【図２】
0003203480.tif 000004
【図３】
0003203480.tif 000005
【図４】
0003203480.tif 000006
【図５】
0003203480.tif 000007